(57)【特許請求の範囲】
【請求項１】
使用者が便器に排泄した尿量を測定する尿量測定手段と、
この尿量測定手段の動作を制御する制御手段と、
個人を特定する個人特定手段と、を備え、
前記制御手段は、前記尿量測定手段によって測定された尿量測定値を、前記個人特定手段によって特定された個人に関連付けて処理する大便器装置において、
前記個人特定手段は、
使用者が付帯するバーコード情報を光学的に読み取り、このバーコード情報から個人を特定する情報を出力する光学式読取手段と、
複数のスイッチからなり、使用者が操作したスイッチに対応して個人を特定する情報を出力する個人用スイッチと、を有しており、
前記制御手段は、前記光学式読取手段、または、前記個人用スイッチの何れかによって特定された個人と尿量測定値とを関連づけ、
前記制御手段は、前記光学式読取手段と前記個人用スイッチとの両方で個人が特定された場合、前記光学式読取手段で特定された個人と尿量測定値とを関連づける
大便器装置。 
【請求項２】
前記光学式読取手段は、前記個人用スイッチの上方に備えられた請求項１に記載の大便器装置。
【発明の詳細な説明】
【技術分野】
【０００１】
本発明は、排泄された尿に関する定量測定を実施する際に、排泄者が誰であるかを特定するための個人特定手段を備えた大便器装置に関する発明である。
【背景技術】
【０００２】
従来からトイレ装置として使用者の尿量を測定して、その尿量の測定値と個人とを関連づけるものが知られており、その際に、使用者を特定するための個人特定手段が用いられている。その個人特定手段として、使用者を検知する検知手段が作動したことをトリガーとして、使用者を特定するための個人特定情報受信手段を起動し、個人特定情報送信手段より無線伝送された個人特定情報を受信して、個人を特定するものが知られている。（例えば、特許文献１参照）
【０００３】
また、個人特定手段として、個人特定の精度が良く、かつ、医療機関のシステムとの連携が容易ということから、患者の手首のバンドに記載された１次元バーコードなどのバーコード情報に付与された個人特定情報を読み取り、個人を特定する個人特定手段も利用されている。（例えば、特許文献２参照）
【先行技術文献】
【特許文献】
【０００４】
【特許文献１】特開２００５−１６８９５２号公報
【特許文献２】特開２００２−３３６２６８号公報
【発明の概要】
【発明が解決しようとする課題】
【０００５】
しかしながら、例えば特許文献１のような場合、個人特定手段の構造が複雑であり、製造や管理に掛かるコストが高いという問題もあった。
そこで、例えば特許文献２に記載されたような、コストの安いバーコードを利用した個人特定手段が提示されている。
しかしながら、バーコードによる個人特定手段は、認知機能が衰えた高齢者などが使用者の場合、手首のバンドを読取部にかざし、読み取らせることができない、もしくは個人特定手段の操作方法を忘れてしまい、個人の特定ができないという問題があった。
【０００６】
そこで、本発明は、上記問題を解決するためになされたもので、本発明の課題は、使用者が付帯するバーコード情報で個人を特定する個人特定手段を利用しつつ、バーコード情報の読取ができないことによる個人特定不良を抑制することができる大便器装置を実現するものである。
【課題を解決するための手段】
【０００７】
本発明の一態様に係る大便器装置においては、使用者が便器に排泄した尿量を測定する尿量測定手段と、この尿量測定手段の動作を制御する制御手段と、個人を特定する個人特定手段と、を備え、前記制御手段は、前記尿量測定手段によって測定された尿量測定値を、前記個人特定手段によって特定された個人に関連付けて処理する大便器装置において、前記個人特定手段は、使用者が付帯するバーコード情報を光学的に読み取り、このバーコード情報から個人を特定する情報を出力する光学式読取手段と、複数のスイッチからなり、使用者が操作したスイッチに対応して個人を特定する情報を出力する個人用スイッチと、を有しており、前記制御手段は、前記光学式読取手段、または、前記個人用スイッチの何れかによって特定された個人と尿量測定値とを関連づける。
【０００８】
この構成によれば、バーコード情報の読み取り不良により、光学式読取手段による個人の特定ができない場合も、個人用スイッチによる個人の特定ができる。
【０００９】
本発明の一態様に係る大便器装置において、好ましくは、前記制御手段は、前記光学式読取手段と前記個人用スイッチとの両方で個人が特定された場合、前記光学式読取手段で特定された個人と尿量測定値とを関連づける。
【００１０】
この構成によれば、個人用スイッチによる個人の特定が誤っていた場合でも、光学式読取手段による個人の特定により、正しい個人を特定することができる。
【００１１】
本発明の一態様に係る大便器装置において、好ましくは、前記光学式読取手段は、前記個人用スイッチの上方に備えられている。
【００１２】
この構成によれば、個人用スイッチを押す動作で、同時にバーコード情報を光学式読取手段にかざすことができる。そのため、認知機能が衰えた高齢者などでも、バーコード情報の読み取りを忘れることがない。
【発明の効果】
【００１３】
本発明によれば、使用者が付帯するバーコード情報で個人を特定する個人特定手段を利用しつつ、バーコード情報の読取ができないことによる個人特定不良を抑制することができる大便器装置を実現できるという効果がある。
【図面の簡単な説明】
【００１４】
【図１】本発明の実施形態における大便器装置全体を示す斜視図である。
【図２】本発明の実施形態における尿量測定リモコンの拡大斜視図である。
【図３】本発明の実施形態における大便器装置の機能ブロック図である。
【図４】本発明の実施形態における尿量測定に関するフローチャートである。
【図５】本発明の実施形態における尿量測定に関するフローチャートである。
【発明を実施するための形態】
【００１５】
本発明の実施形態における大便器装置の全体構成について、図１を用いて説明を行う。図１は、本発明の実施形態における大便器装置全体を示す斜視図である。
【００１６】
図１に示すように、本実施形態の大便器装置１００は、使用者の排泄物を受けて下水管へ排出する洋風大便器１１０と、洋風大便器１１０の背後に設置されたキャビネット１２０と、洋風大便器１１０の側方壁面に配置された操作リモコン１３０と、で構成される。
【００１７】
洋風大便器１１０は、陶器製もしくは樹脂製であり、使用者の排泄物を受けるためのボウル面１１１を有している。このボウル面１１１の下部には逆Ｕ字形状の排水トラップ管路（図示せず）が連結されており、この排水トラップ管路を経て排泄部物を下水配管（図示せず）へ排出することが可能となっている。また、ボウル面１１１の下部には、排水トラップ管路によって所定高さの溜水が形成される。
洋風大便器１１０上面のキャビネット１２０より前側には、局部洗浄手段１１２などを収納したケーシング１１２ａが載置されており、このケーシング１１２ａに便座１１３が回動自在に取り付けられている。局部洗浄手段１１２としては、具体的な構成について周知であるため図示は省略するが、外部からの給水をオンオフする開閉弁と、給水された水をたし加熱する温水ヒータと、加熱された温水を便座１１３に着座した使用者の局部にむけて噴出する洗浄ノズルと、によって構成されている。
【００１８】
本実施例の大便器装置１００は、一般的に採用される便ふたを省略し、使用者の上半身を支えることを配慮した背もたれ１２１をキャビネット１２０に設置している。
なお、背もたれ１２１を設置しない場合には、便座１１３と同様に、便蓋を局部洗浄手段１１２を収納したケーシング１１２ａに対し回転自在に取り付けてもよい。
【００１９】
キャビネット１２０の内部には、ボウル面１１１に洗浄水を流す大便器洗浄手段１２２と、使用者が洋風大便器１１０のボウル面１１１へ排尿した尿量を測定する尿量測定手段１２３とが収納されている。
大便器洗浄手段１２２は、具体的な構成について周知の構成であるため図示は省略するが、貯水タンクと、この貯水タンクへの外部からの給水をオンオフするボールタップと、貯水タンク底部に設けられた排水弁とから構成されている。
また、尿量測定手段１２３は、洋風大便器１１０の溜水と導水管路（図示せず）によって連結され圧力センサー（図示せず）を有しており、この圧力センサーによって使用者が排尿した際の溜水の水位変化を計測し、その排尿前後の水位変化量から使用者の尿量を算出したり、その尿量を単位時間当たりで算出した排泄速度である尿流率等の測定を行うことができる。
その他、必要に応じて尿中の特定成分濃度等を計測する尿成分測定手段などを、キャビネット１２０の内部に収納しても良い。その際には、収納するものの占有体積により、キャビネット１２０の大きさ・形状を適宜設計する。
【００２０】
操作リモコン１３０は、尿量測定手段１２３の操作を行うための尿量測定用リモコン１４０と、大便器洗浄手段１２２および局部洗浄手段１１２を操作を行うための洗浄用リモコン１５０と、を有し、使用者の操作性・視認性を配慮して壁に設けられている。
【００２１】
尿量測定用リモコン１４０は、測定開始前に使用者を特定する個人特定手段１４１と、尿量測定手段１２３に測定終了を伝える測定終了スイッチ１４２と、測定開始や測定中など使用者に現在の尿量測定手段１２３の状態を知らせる表示部１４３と、が設けられている。
【００２２】
個人特定手段１４１は、光学式読取手段１４４と個人用スイッチ１４５との二つを有する。
【００２３】
図２に示すように、光学式読取手段１４４は、レーザ光を照射してバーコード情報を読み取る機能部１４４ａと機能部１４４ａを覆うケーシング１４４ｂで構成されている。ケーシング１４４ｂの下方には、レーザ光の照射口１４４ｃが設けられており、レーザ光は照射口１４４ｃから下方（矢印Ａ方向）に照射される。そのため、光学式読取手段１４４にバーコード情報を読み取らせる際には、使用者は、手首に巻かれたバーコードを照射口下方にかざすことにより、光学式読取手段１４４にバーコード情報を読み取らせる。
バーコード情報は、例えば、１次元バーコードや二次元バーコードなどで表現された情報のことである。更に、バーコード情報は、個人毎に付与されているＩＤ情報などを含んでおり、個人を特定することができる。
【００２４】
個人用スイッチ１４５は、スイッチ１４５ａと、スイッチ１４５ｂと、スイッチ１４５ｃと、スイッチ１４５ｄと、を有する。
個人用スイッチ１４５のスイッチ１４５ａ、１４５ｂ、１４５ｃ、１４５ｄには、それぞれ異なる個人名が記載されており、個人名に対応するスイッチ情報がそれぞれのスイッチ１４５ａ、１４５ｂ、１４５ｃ、１４５ｄに登録されている。
スイッチ情報は、個人毎に付与されているＩＤ情報を含んでおり、個人を特定することができる。
更に、個人用スイッチ１４５は、スイッチ１４５ａ、１４５ｂ、１４５ｃ、１４５ｄの何れかが押し下げられた場合に、使用者が操作したスイッチに対応するスイッチ情報を出力することができる。
例えば、使用者がスイッチ１４５ａを押し下げた場合、スイッチ１４５ａに登録された個人ａのＩＤ情報を含むスイッチ情報が個人用スイッチ１４５から出力される。
【００２５】
光学式読取手段１４４は、個人用スイッチ１４５の上方に設けられている。そのため、使用者が個人用スイッチ１４５を押す動作を行うと、使用者は、光学式読取手段１４４に手をかざす動作をすることとなる。つまり、個人用スイッチ１４５のスイッチ情報の出力をする際に、同時に光学式読取手段１４４はバーコードを読み取り、バーコード情報を出力することができる。
【００２６】
洗浄用リモコン１５０は、ボウル面１１１に洗浄水を流すための洗浄スイッチ１５１と、局部洗浄手段１１２の動作を操作するための局部洗浄スイッチ１５２と、を有する。
洗浄スイッチ１５１は、洗浄水を流す通常の使用方法だけでなく、尿量測定手段１２３を終了する際にも使用される。
局部洗浄スイッチ１５２は、複数のスイッチを有しており、局部洗浄のモードを選択できる。
【００２７】
次に図３を用いて、本発明の実施形態における大便器装置について説明を行う。図３は、本発明の実施形態における機能ブロック図である。
【００２８】
尿量測定手段１２３は、制御手段１２４と接続されており、尿量測定手段１２３の制御を行うことができる。また、制御手段１２４は、通信手段１２５と接続されており、操作リモコン１３０および管理ＰＣ１６０と通信できる。
【００２９】
制御手段１２４は、マイコンと不揮発性メモリ等の記憶部とを有し、尿量測定のための処理を行うことや個人特定手段１４１から得られたスイッチ情報やバーコード情報などを一時的に記憶することができる。
【００３０】
また、制御手段１２４は、尿量測定手段１２３から得られた尿量測定値と個人特定手段１４１におけるスイッチ情報やバーコード情報などから得られたＩＤ情報とを関連づけ、関連付けた情報を尿量測定結果として通信手段１２５から出力するための信号を生成することができる。
【００３１】
通信手段１２５は、赤外線通信部を有し、赤外線を利用した無線通信を行い、操作リモコン１３０と情報の送受信を行うことができる。
また、通信手段１２５は、有線通信部を有し、ＬＡＮケーブル等の有線ケーブルにより有線接続された管理ＰＣ１６０に尿量測定結果を送信することができる。
【００３２】
管理ＰＣ１６０は、通信手段１２５を介して送信された尿量測定結果を記憶し、必要に応じて閲覧できるようになっている。
また、管理ＰＣ１６０は、尿量測定結果に含まれるＩＤ情報を解析し、個人名へと変換することができる。
つまり、尿量測定結果を閲覧する際には、管理ＰＣ１６０上に個人名と尿量測定値とが表示されることとなる。
【００３３】
尿量測定用リモコン１４０において、個人特定手段１４１、測定終了スイッチ１４２、表示部１４３は、尿量測定リモコン制御手段１４６に接続されている。
また、尿量測定リモコン制御手段１４６は、通信手段１４７と接続されており、通信手段１２５を介して制御手段１２４と無線接続されている。
【００３４】
尿量測定リモコン制御手段１４６は、マイコンを有し、個人特定手段１４１からの情報および測定終了スイッチ１４２の情報に対応する信号の生成や制御手段１２４からの情報をもとに表示部１４３の制御を行うことができる。
通信手段１４７は、赤外線通信部を有しており、尿量測定リモコン制御手段１４６で生成された信号を赤外線信号として制御手段１２４に送信することや制御手段１２４からの赤外線信号を受信することができる。
【００３５】
洗浄用リモコン１５０において、洗浄スイッチ１５１と局部洗浄スイッチ１５２は、洗浄リモコン制御手段１５３に接続されている。
また、洗浄リモコン制御手段１５３は、通信手段１５４に接続されており、大便器洗浄手段１２２、局部洗浄手段１１２、と接続され、通信手段１２５を介して、制御手段１２４と無線接続されている。
洗浄リモコン制御手段１５３は、マイコンを有し、押し操作された局部洗浄スイッチ１５２や洗浄スイッチ１５１の判別、および、判別したスイッチに対応する信号の生成を行うことができる。
通信手段１５４は、赤外線通信部を有しており、洗浄リモコン制御手段１５３で生成された信号を赤外線信号として、大便器洗浄手段１２２、局部洗浄手段１１２、制御手段１２４に送信することができる。
【００３６】
洗浄リモコン制御手段１５３は、局部洗浄スイッチ１５２が使用者から操作されると、その操作に対応する信号を通信手段１５４から局部洗浄手段１１２に送信することで、局部洗浄手段１１２に各操作に対応する動作をさせることができる。
また、洗浄リモコン制御手段１５３は、尿量測定中に洗浄スイッチ１５１が使用者から操作されると、その操作に対応する信号を通信手段１５４から、大便器洗浄手段１２２および制御手段１２４に送信することで、大便器洗浄手段１２２を動作させるとともに、尿量測定手段１２３の測定を停止させることができる。
【００３７】
次に、図４、図５を用いて、尿量を測定する際の大便器装置１００の処理の流れについて説明を行う。
【００３８】
まず、制御手段１２４は、通信手段１２５が尿量測定用リモコン１４０からの信号を受信するまで待機する（Ｓ１０１）。つまり、信号を受信することで尿量測定処理が開始される。ここで、尿量測定用リモコン１４０からの信号とは、尿量測定用リモコン１４０が操作された際に通信手段１４７から通信手段１２５に送信される信号のことである。
【００３９】
次に、尿量測定処理が開始されると、制御手段１２４は、通信手段１２５が尿量測定用リモコン１４０から受信した信号が、個人用スイッチ１４５が押し下げられることで得られたスイッチ情報を含んでいるかを判断する（Ｓ１０２）。
スイッチ情報を確認できない場合（Ｓ１０２、Ｎｏ）、制御手段１２４は、通信手段１２５から受信した信号が、光学式読取手段１４４がバーコードを読み取ることで得られたバーコード情報を含んでいるかを判断する（Ｓ１２０）。つまり、個人用スイッチ１４５が故障等で動作しない場合などにも、光学式読取手段１４４から読み取られたバーコード情報から個人の特定ができる。
【００４０】
バーコード情報を確認した場合（Ｓ１２０、Ｙｅｓ）、制御手段１２４は、バーコード情報に含まれるＩＤ情報を記憶する（Ｓ１２１）。
もし、バーコード情報を確認できない場合（Ｓ１２０、Ｎｏ）は、制御手段１２４は、使用者が存在しないと判断し、通信手段１２５が次の尿量測定用リモコン１４０からの信号を受信するまで待機する（Ｓ１０１）。つまり、尿量の測定が開始されない。
【００４１】
スイッチ情報を確認した場合（Ｓ１０２、Ｙｅｓ）、制御手段１２４は、光学式読取手段１４４がバーコードを読み取ることで得られたバーコード情報を含んでいるかを判断する（Ｓ１０３）。バーコード情報を確認できない場合（Ｓ１０３、Ｎｏ）、制御手段１２４は、スイッチ情報に含まれるＩＤ情報を記憶する（Ｓ１３０）。つまり、光学式読取手段１４４が故障等で使用できない場合でも、個人用スイッチ１４５からのスイッチ情報で個人の特定ができる。
バーコード情報を確認した場合（Ｓ１０３、Ｙｅｓ）、制御手段１２４は、バーコード情報に含まれるＩＤ情報を記憶する（Ｓ１０４）。つまり、個人用スイッチ１４５による個人の特定が誤っていた場合でも、光学式読取手段１４４による個人の特定により、正しい個人を特定することができる。
【００４２】
制御手段１２４は、ＩＤ情報の記憶が終了すると、尿量測定手段１２３を起動させ、尿量測定の準備を行う（Ｓ１０５）。
この際、制御手段１２４は、測定準備ができたことを使用者に通知するための信号を通信手段１２５から尿量測定用リモコン１４０へ送信する。尿量測定リモコン制御手段１４６は、送信された信号を通信手段１４７で受信すると表示部１４３に、「測定可」の文字を表示させる。
【００４３】
制御手段１２４は、尿量測定手段１２３がボウル面の溜水の水位変化を感知したことを知らせる信号を受信すると、尿量測定手段１２３に尿量測定を開始させる（Ｓ１０６）。この際、制御手段１２４は、尿量測定時間の計測を開始する。
この際、制御手段１２４は、測定が開始されたことを使用者に通知するための信号を通信手段１２５から尿量測定用リモコン１４０に送信する。尿量測定リモコン制御手段１４６は、送信された信号を通信手段１４７で受信すると表示部１４３に、「測定可」の文字を「測定中」の文字に切り換えさせる。
【００４４】
尿量測定手段１２３の尿量測定中（Ｓ１０７）に、制御手段１２４は、通信手段１２５が操作リモコン１３０からの信号を受信したかを判断する（Ｓ１０８）。ここで、操作リモコン１３０からの信号とは、測定終了スイッチ１４２が押されたか、洗浄スイッチ１５１が押されたか、光学式読取手段１４４がバーコード情報を読み取ったかのいずれかによって、操作リモコン１３０から通信手段１２５に送信される信号のことである。
【００４５】
通信手段１２５が操作リモコン１３０からのいずれかの信号を受信した場合（Ｓ１０８、Ｙｅｓ）、制御手段１２４は、尿量測定手段１２３の測定を終了させる（Ｓ１０９）。
通信手段１２５が操作リモコン１３０からのいずれかの信号を受信していない場合（Ｓ１０８、Ｎｏ）、制御手段１２４は、尿量測定時間が所定時間経過したかを判断する（Ｓ１４０）。
【００４６】
尿量計測時間が所定時間経過していない場合（Ｓ１４０、Ｎｏ）、制御手段１２４は、尿量測定手段１２３の測定を継続させる（Ｓ１０７）。
尿量の測定が開始されてから所定時間（好ましくは１分〜２分）経過した場合（Ｓ１４０、Ｙｅｓ）、制御手段１２４は、尿量測定手段１２３の測定を終了させる（Ｓ１０９）。
また、尿量の測定が終了した際に（Ｓ１０９）、制御手段１２４は、通信手段１２５から尿量測定用リモコン１４０に測定が終了したことを使用者に通知するための信号を送信する。尿量測定リモコン制御手段１４６は、通信手段１４７がその信号を受信すると、表示部１４３に「測定終了」との文字を表示させる。
【００４７】
測定終了後、制御手段１２４は、制御手段１２４に記憶されている光学式読取手段１４４および個人用スイッチ１４５の何れかによって得られたＩＤ情報と尿量測定値とを関連づける（Ｓ１１０）。
前述したＳ１０４において、制御手段１２４は、光学式読取手段１４４から得られたＩＤ情報を記憶している。つまり、制御手段１２４は、光学式読取手段１４４と個人用スイッチ１４５との両方からＩＤ情報がある場合、光学式読取手段１４４から得られたＩＤ情報と尿量測定値とを関連づける。
【００４８】
その後、制御手段１２４は、関連づけた尿量測定値とＩＤ情報を尿量測定結果として通信手段１２５から送信するための信号を生成し、通信手段１２５から管理ＰＣに送信させる（Ｓ１１１）。
【００４９】
ここまでの処理で、尿量測定処理のすべてのフローが完了することとなる（Ｓ１１２）。
【００５０】
以上のように、本発明の大便器装置１００によれば、使用者が付帯するバーコード情報で個人を特定する個人特定手段１４１を利用しつつ、バーコード情報の読取ができないことによる個人特定不良を抑制することができる大便器装置を実現できる。
【００５１】
以上、本発明の実施形態について説明したが、本発明はこれらの記述に限定されるものではない。例えば、個人用スイッチ１４５において個人名が記載されていると記述したが、使用者の氏名でなく、数字やアルファベットでもよい。また、表示部１４３に表示される文字も任意のものでよい。
また例えば、光学式読取手段１４４は、個人用スイッチ１４５の上方以外に配置されても良い。
また、例えば、本発明において、通信手段１２５と通信手段１４７、１５４とをＬＡＮケーブル等の有線ケーブルを用いて有線接続しても良く、通信手段１２５と管理ＰＣ１６０とを赤外線等を用いて無線接続しても良い。
つまり、本発明において、通信手段１２５と通信手段１４７、１５４との接続及び、通信手段１２５と管理ＰＣ１６０との接続は、無線接続及び有線接続に係らず、無線接続及び有線接続のどちらでもよい。
【符号の説明】
【００５２】
１００・・・大便器装置
１１０・・・洋風大便器
１１１・・・ボウル面
１１２・・・局部洗浄手段
１１２ａ・・・ケーシング
１１３・・・便座
１２０・・・キャビネット
１２１・・・背もたれ
１２２・・・大便器洗浄手段
１２３・・・尿量測定手段
１３０・・・操作リモコン
１４０・・・尿量測定用リモコン
１４１・・・個人特定手段
１４２・・・測定終了スイッチ
１４３・・・表示部
１４４・・・光学式読取手段
１４５・・・個人用スイッチ
１５０・・・洗浄用リモコン
１５１・・・洗浄スイッチ
１５２・・・局部洗浄スイッチ
【図１】
0006727534.tif 000002
【図２】
0006727534.tif 000003
【図３】
0006727534.tif 000004
【図４】
0006727534.tif 000005
【図５】
0006727534.tif 000006